(57)【要約】【課題】従来の放熱基板では、異形部品等の固定力が低く、絶縁基板に固定している厚肉回路導体が剥がれる可能性があった。【解決手段】異形部品１５の一部以上を、樹脂構造体１１に固定し、この樹脂構造体１１を直接、金属板２１は、金属板２１等に固定し、異形部品１５の耐振性を高めると共に、リードフレーム１９と伝熱層２０との密着強度を局所的に高め、放熱基板１８と回路基板２４を接続配線２２で最短距離で接続して、モジュール自体の機械的強度と耐ノイズ性を高める。【選択図】図１
2009135372.tif 000002
【特許請求の範囲】
【請求項１】
金属板と、この上に形成したシート状の伝熱層と、この伝熱層に固定したリードフレームと、このリードフレームの一部を前記伝熱層から略垂直に折り曲げてなる接続配線と、この接続配線の一部以上を固定する樹脂構造体と、異形部品と、前記金属板と略並行に固定した回路基板と、から構成され、
前記異形部品の一部以上は、前記樹脂構造体を用いて固定し、
前記接続配線の一部以上は前記回路基板に接続している回路モジュール。
【請求項２】
金属板と、この上に形成したシート状の伝熱層と、この伝熱層に固定したリードフレームと、このリードフレームの一部を前記伝熱層から略垂直に折り曲げてなる接続配線と、この接続配線の一部以上を固定する樹脂構造体と、異形部品と、前記金属板と略並行に固定した回路基板と、から構成され、
前記異形部品の一部以上は、前記樹脂構造体を用いて固定し、
前記接続配線の一部以上は、前記樹脂構造体によって前記伝熱層に押付けられ、
前記接続配線の一部以上は前記回路基板に接続している回路モジュール。
【請求項３】
金属板と、この上にシート状の伝熱層を用いて固定したリードフレームと、このリードフレームの一部以上を固定する樹脂構造体と、異形部品と、前記金属板と略並行に固定した回路基板と、から構成され、
前記異形部品の一部以上を、前記樹脂構造体と前記伝熱層との間に固定し、
前記接続配線の一部以上が、前記樹脂構造体によって前記伝熱層に押付けられ
前記接続配線の一部以上は前記回路基板に接続している回路モジュール。
【請求項４】
異形部品は、コイル、トランス、キャパシタ、リード付き部品のいずれか一つ以上である請求項１から３のいずれか一つに記載の回路モジュール。
【請求項５】
金属板上に、シート状の伝熱層を用いてリードフレームを固定する工程と、
前記リードフレームの一部を、伝熱層から略垂直に折り曲げ接続配線とする工程と、
異形部品の一部以上を、樹脂構造体に固定する工程と、
前記樹脂構造体を用いて、前記リードフレームの一部を前記伝熱層側に押付ける工程と、
前記樹脂構造体を、前記金属板に固定する工程と、
前記金属板と略並行に設置した回路基板に、前記接続配線を接続する工程と、
を有する回路モジュールの製造方法。
【発明の詳細な説明】
【技術分野】
【０００１】
本発明は、マイルドハイブリッドカーを始めとするハイブリッドカーや産業用の機器に使われる回路モジュールとその製造方法に関するものである。
【背景技術】
【０００２】
近年、ブレーキ時の回生電力等を電気二重層キャパシタ等に蓄積することで、低消費電力化を実現するハイブリッドカーや各種産業用の機器が注目されている。
【０００３】
こうした機器においては、１００Ａを超える大電流を高精度に制御するＤＣＤＣコンバータ（ここでＤＣＤＣとは、ＤＣ入力をＤＣ出力にするコンバータの意味である）等の大電流を取り扱う回路モジュールが必要であり、これらに使われるパワー半導体等は、放熱や大電流に対応する放熱基板に実装され、回路モジュールを構成する。ここで回路モジュールとは、電源モジュールやＤＣＤＣコンバータ等を含む、５０Ａ以上の大電流の電圧変換装置である。
【０００４】
こうした回路モジュールは、パワー半導体等を実装した放熱基板部と、パワー半導体等を制御する一般電子部品を実装した回路基板部と、コイル、トランス、キャパシタ、リード付き部品等の表面実装（いわゆるＳＭＤ実装。なお円柱状、コイン状、立方体、重量部品等の異形部品も含む）の難しい異形部品とから構成される。
【０００５】
そしてパワー半導体や異形部品を制御する半導体チップ等の各種電子部品を高密度実装した回路基板を、パワー半導体等を実装した回路モジュールに、できるだけ隣接して設置する必要がある。これは回路モジュールの小型化と同時に、回路のノイズ対策のためである。
【０００６】
こうした異形部品を有する回路モジュールにおいて、異形部品の固定は重要な課題となる。
【０００７】
図１４は、異なる高さを有する異形部品を実装した従来の回路モジュールの一例を説明する断面図である。図１４において、絶縁基板１の表面には、平坦な厚肉回路導体２や段差付き厚肉回路導体３が形成されている。異形部品４ａ、４ｂは、それぞれ表面実装が難しく、互いの高さが異なる部品である。異形部品４ｂは平坦な厚肉回路導体２へ、高さの低い異形部品４ａは、孔５を介して段差付き厚肉回路導体３に、それぞれネジ７を用いて実装している。また異形部品４ａ、４ｂに発生した熱は、これらを固定するヒートシンク６へ、矢印８に示すように拡散している。
【０００８】
なお、この出願の発明に関する先行技術文献情報としては、例えば特許文献１が知られている。
【特許文献１】特許第２７８６３４３号公報
【発明の開示】
【発明が解決しようとする課題】
【０００９】
しかし図１４で示した従来の回路モジュールでは、少なくとも異形部品４ａ、４ｂの一面をヒートシンク６等に固定する必要がある。また異形部品４ａ、４ｂの数や形状によって、ヒートシンク６への固定方法が難しくなる。
【００１０】
その結果、図１４で示した従来の異形部品の実装構造では、外部から絶縁基板１等に引っ張り力が伝わった場合、ネジ７が壊れたり、異形部品４ａ、４ｂが変形したり、異形部品４ａ、４ｂ自体がヒートシンク６から剥がれてしまうという課題が有った。
【００１１】
更にパワー半導体や異形部品４ａ、４ｂを制御する一般電子部品を実装した回路基板を隣接して設置することが難しい。
【課題を解決するための手段】
【００１２】
そこで本発明は、上記課題を解決するために、金属板と、この上に形成したシート状の伝熱層と、この伝熱層に固定したリードフレームと、このリードフレームの一部を前記伝熱層から略垂直に折り曲げてなる接続配線と、この接続配線の一部以上を固定する樹脂構造体と、異形部品と、前記金属板と略並行に固定した回路基板と、から構成され、前記異形部品の一部以上は、前記樹脂構造体を用いて固定し、前記接続配線の一部以上は前記回路基板に接続している回路モジュールとする。
【発明の効果】
【００１３】
以上のように本発明によれば、コイル、トランス（チョークトランスを含む）、キャパシタ（電解コンデンサ、電気二重層キャパシタを含む）、リード付き部品等の異形部品の一部以上を、樹脂構造体を用いて固定することで、様々な形状、重さ、数量の異形部品であっても強固に固定する。
【００１４】
また異形部品の一部以上を固定した樹脂構造体を用いて、放熱基板を構成するリードフレームの一部からなる接続配線部を固定することで、接続配線部やリードフレーム自体の伝熱層からの剥離強度を高めると共に放熱基板自体を高強度化する。
【００１５】
更に、放熱基板に実装したパワー半導体等を制御する一般電子部品等を実装した回路基板を、放熱基板と略並行に設置することで、回路モジュールの小型化と、耐ノイズ特性を改善する。なお異形部品の電気的接続は放熱基板に接続されてもよい。
【発明を実施するための最良の形態】
【００１６】
なお本発明の実施の形態に示された一部の製造工程は、成形金型等を用いて行われる。但し説明するために必要な場合以外は、成形金型は図示していない。また図面は模式図であり、各位置関係を寸法的に正しく示したものではない。
【００１７】
（実施の形態１）
以下、本発明の実施の形態１の回路モジュールの構造について、図面を参照しながら説明する。
【００１８】
図１は、回路モジュールの構成を説明する斜視図である。図１において、１１は樹脂構造体、１２は取付け孔、１３は配線孔、１４は点線、１５は異形部品、１６は取付け金具、１７は矢印、１８は放熱基板、１９はリードフレーム、２０は伝熱層、２１は金属板、２２は接続配線、２３はネジ、２４は回路基板、２５は電子部品である。
【００１９】
図１において、１１は樹脂構造体であり、その外周部等には、樹脂構造体１１を放熱基板１８に固定するための取付け孔１２や、放熱基板１８のリードフレーム１９の一部である接続配線２２を保護するための配線孔１３を形成する。
【００２０】
なお図１において、リードフレーム１９からなる配線や、その上に実装したパワー半導体等、ソルダーレジスト等は図示していない。
【００２１】
樹脂構造体１１の所定部分に、異形部品１５や、異形部品１５を取り付けるための取付け金具１６を固定する。こうして異形部品１５の一部以上を樹脂構造体１１で保持する。なお図１において、異形部品１５や取付け金具１６は、点線１４で記載しているが、これは樹脂構造体１１の裏面側（放熱基板１８側）に固定する。裏面側に固定することで、異形部品１５を樹脂構造体１１と、放熱基板１８の両方で押さえるようにして固定できる（詳細は、後述する図７、図８等で説明する）。
【００２２】
なお異形部品１５の樹脂構造体１１への固定は、樹脂構造体１１自体の形状を工夫しても良いし、取付け金具１６を用いても良い。
【００２３】
図１において、放熱基板１８は、金属板２１と、この上に形成したシート状の伝熱層２０と、この伝熱層２０に固定したリードフレーム１９と、このリードフレーム１９の一部を前記伝熱層２０から突き出してなる接続配線２２と、から構成する。
【００２４】
なお接続配線２２は、伝熱層２０から略垂直に折り曲げているが、これは矢印１７に示すように、樹脂構造体１１に形成した配線孔１３を介して突き出し、回路基板２４に接続するためである。このように、放熱基板１８の必要部分において、リードフレーム１９を略垂直に折り曲げ、接続配線２２とすれば良く、全ての周縁部（あるいは４辺全てで）で折り曲げる必要は無い。周縁部のリードフレーム１９の一部を、略垂直に折り曲げることなく、そのまま（伝熱層２０と略平行なまま）放熱基板から外部へ突き出しても良い。
【００２５】
図１において、取付け孔１２に向かう矢印１７は、放熱基板１８の上に、異形部品１５の一部以上を固定した樹脂構造体１１が、ネジ２３によって固定する様子を示す。
【００２６】
またこのネジ２３によって固定した樹脂構造体１１の一部は、リードフレーム１９や、接続配線２２の一部（あるいは略垂直に折り曲げた接続配線２２の根元や根元付近）を固定し、回路モジュール全体の強度を高める。
【００２７】
回路基板２４の表面に実装した電子部品２５は、放熱基板１８に実装したパワー半導体等（図示していない）に、接続配線２２を介して最短距離（あるいは最短線路長）で接続するため、ノイズの影響を受けない。電子部品２５とは、半導体やチップ部品等の一般電子部品である。
【００２８】
こうして、金属板２１と、この上に形成したシート状の伝熱層２０と、この伝熱層２０に固定したリードフレーム１９と、このリードフレーム１９の一部を前記伝熱層２０から略垂直に折り曲げてなる接続配線２２と、この接続配線２２の一部以上を固定する樹脂構造体１１と、異形部品１５と、前記金属板２１と略並行に固定した回路基板２４と、から構成され、前記異形部品１５の一部以上は、前記樹脂構造体１１を用いて固定し、前記接続配線２２の一部以上は前記回路基板２４に接続している回路モジュールを実現する。
【００２９】
次に図２を用いて、樹脂構造体１１への異形部品１５の固定方法の一例について説明する。図２（Ａ）（Ｂ）は、共に樹脂構造体１１を用いて、異形部品１５の一部以上を固定する様子を説明する斜視図である。
【００３０】
図２（Ａ）は、樹脂構造体１１の裏面側（放熱基板１８側）に、異形部品１５を固定する様子を示す。図２（Ａ）の点線１４は、異形部品１５の固定部を示す。樹脂構造体１１の成形性の良さを利用して、この固定部に異形部品１５の固定用に窪みや枠、取付け用、固定用の孔等を事前に形成できる。そして取付け金具１６を併用することで、異形部品１５の固定を強固にする。
【００３１】
図２（Ｂ）は、異形部品１５を取り付けた樹脂構造体１１の斜視図である。図２（Ｂ）の矢印１７に示すようにして、ネジ２３等を用いて放熱基板１８（図示していない）に固定する。
【００３２】
なお予め樹脂構造体１１の異形部品１５の取付け部分に凹部や突起を設けておくことで取付け精度を高め、作業工数も減らす。例えば、樹脂構造体１１に、異形部品１５の外形に応じた窪みや突起（例えば、円柱状の異形部品１５を埋め込む、あるいは嵌め込むための半円柱状の凹部を設ける。立方体の異形部品１５を固定するための立方体状の凹部を設ける等）を設ける。この結果、取付け金具１６の省略も可能となる。
【００３３】
図３は、異形部品１５を取り付けた樹脂構造体１１を、ネジ２３を用いて放熱基板１８に固定する様子を説明する斜視図である。
【００３４】
図３において、異形部品１５の固定に樹脂構造体１１を用いるため、複数個の異形部品１５であっても、様々な異なる外形の異形部品１５であっても、樹脂構造体１１に固定できる。
【００３５】
また図３において、樹脂構造体１１に形成した配線孔１３は、放熱基板１８の接続配線２２を保護する。また樹脂構造体１１の一部は、接続配線２２の根元を、放熱基板側に押付けることで、その密着強度を高める。
【００３６】
樹脂構造体１１への異形部品１５の取付け方法は、取付け金具１６以外に、樹脂構造体１１自体を加工したもの（取付け孔、取付け溝、はめ込み構造等）であっても良い。そして樹脂構造体１１における異形部品１５を固定する構造部とは、樹脂構造体１１における異形部品１５の一部以上が接する部分である。そしてこの異形部品１５を固定する構造部は、異形部品１５用の取付け金具１６の取付け部分（例えば図２（Ａ）の点線１４部分）、更には取付け金具１６を固定するための構造部（孔や突起等を用いて取付け金具１６を固定した場合、こうした孔や、突起部、更にはこの近辺部分も構造部に含む。なおこれら部分は図示していない）も含む。これは、取付け金具１６の固定部分（取付け部分、更にはこの近辺部分も含む）は、異形部品１５を固定する構造部の一部だからである。
【００３７】
このように樹脂構造体１１側に、異形部品１５の形状に応じた取付け構造部（あるいは取付け金具１６等の固定構造部）を形成することで、様々な異形部品１５の形状に対応できる。なお射出成形可能な市販の熱可塑性樹脂（望ましくは、エンジニアリングプラスチックや液晶ポリマー等の高強度樹脂材料）を用いることで、樹脂構造体１１を作成できる。
【００３８】
樹脂構造体１１に固定する異形部品１５について説明する。異形部品１５としては、質量の大きなもの（例えば５ｇ以上。なお５ｇ未満の軽い異形部品１５の場合、放熱基板１８の上に直接、固定できる場合がある）であっても対応する。複数個の異形部品１５や重量の大きな異形部品１５を固定する場合、回路モジュールの中央部付近等の最適位置に、あるいはバランスの最適位置に固定する。
【００３９】
こうして樹脂構造体１１の形状（樹脂構造体１１の肉厚も含む）は、搭載する異形部品１５の大きさや形状、個数や、重さ等を考慮して設計する。
【００４０】
図４は、異形部品１５を取り付けた樹脂構造体１１を、放熱基板１８に装着した後、ネジ２３によって固定する様子を説明する斜視図である。
【００４１】
図４に示すように、接続端子の一部以上を、樹脂構造体１１から突き出すようにすることで、この上に実装する回路基板２４への装着を行う。この後、図１に示すように、回路基板２４を実装する。
【００４２】
（実施の形態２）
次に、図５から図７を用いて、実施の形態１で説明した電源モジュールに用いる放熱基板の製造方法の一例について説明する。
【００４３】
図５（Ａ）（Ｂ）は、共に放熱基板１８の製造方法の一例を説明する断面図である。図５（Ａ）において、２６は伝熱樹脂である。
【００４４】
まず図５（Ａ）に示すように、金属板２１の上に、伝熱樹脂２６をセットし、更にその上に所定パターン形状に加工したリードフレーム１９をセットする。そして矢印１７に示すように、これらを金型やプレス（共に図示していない）を用いて、加熱加圧することで一体化する。そして伝熱樹脂２６を硬化し、伝熱層２０とする。
【００４５】
図５（Ｂ）は、伝熱樹脂２６を硬化し、伝熱層２０とした後の状態を示す断面図である。図５（Ｂ）に示すように、放熱基板１８を構成するリードフレーム１９は、その一部以上が伝熱層２０に埋め込むことで、リードフレーム１９と伝熱層２０との接触面積を増加させ、リードフレーム１９の表面に実装したパワー半導体（図示していない）の熱を、リードフレーム１９から伝熱層２０を介して金属板２１へ放熱しやすくできる。またリードフレーム１９と伝熱層２０との接合強度（あるいは剥離強度）を高める効果を得る。
【００４６】
図６（Ａ）（Ｂ）は、共に放熱基板１８と樹脂構造体１１を示す断面図である。図６（Ａ）に示すように、リードフレーム１９の一部を、伝熱層２０と略並行に突き出し、また略垂直に折り曲げて突き出す。
【００４７】
リードフレーム１９の一部以上を、伝熱層２０に埋め込むことで、肉厚の（例えば、０．２ｍｍ以上、望ましくは０．３ｍｍ以上）リードフレーム１９を用いた場合でも、その厚みが放熱基板１８の表面に段差として表れないため、リードフレーム１９の上へのソルダーレジスト（図示していない）の印刷性を高める効果を得る。
【００４８】
なお図５（Ｂ）に示す矢印１７は、リードフレーム１９の一部を、金属板２１から略垂直になるように、折り曲げる様子を示す。後述する図６（Ａ）で示すようにリードフレーム１９の一部を、伝熱層２０から引き剥がす。こうすることで、リードフレーム１９（あるいはリードフレーム１９で構成した接続配線２２）と、金属板２１（あるいは金属板２１を固定する筐体やシャーシ）との間の沿面距離（一種の絶縁距離）を確保する。
【００４９】
図６（Ａ）（Ｂ）は、それぞれ放熱基板１８の断面と樹脂構造体１１への異形部品１５の取付けについて説明する断面図である。
【００５０】
図６（Ａ）は、放熱基板１８の断面図である。放熱基板１８の一部に、開口部２７（リードフレーム１９を剥がしてなる溝部）を形成し、沿面距離を得る。
【００５１】
図６（Ｂ）は、樹脂構造体１１に異形部品１５の一部以上を固定する様子を説明する。異形部品１５の固定に、取付け金具１６を用いることで作業性、取付け強度を高める。
【００５２】
図６（Ｂ）における開口部２７は、樹脂構造体１１に形成した配線孔１３の一側面以上を開口したものである。このように樹脂構造体１１の一部に形成した開口部２７で、樹脂構造体１１とリードフレーム１９との接触具合を調整する。後述する図９（Ｂ）、１０（Ｂ）で示すように、放熱基板１８に反りやうねりが発生しても、開口部２７を設けることで、開口部を設けていない側（つまりリードフレーム１９側）で、確実に樹脂構造体１１とリードフレーム１９側が接する。
【００５３】
図７は、回路モジュールを組み立てる様子を説明する断面図である。図７において、放熱基板１８の上に、予め異形部品１５の一部以上を固定した樹脂構造体１１をセットし、ネジ２３等で固定する。その後回路基板２４を固定する。なお用途に合わせて、順番も入れ替える。
【００５４】
図８は、放熱基板１８に樹脂構造体１１を、ネジ２３で固定する様子を示す。図８に示すように、回路基板２４を実装する前に、放熱基板１８と樹脂構造体１１を固定することで作業性を高める。また樹脂構造体１１に形成した配線孔１３によって、接続配線２２の曲がりや反り、歪み等を矯正する。
【００５５】
図９（Ａ）（Ｂ）は、回路基板２４を固定する様子を示す断面図である。図９（Ａ）（Ｂ）において、２８は半田である。図９（Ａ）（Ｂ）に示すように、回路基板２４に形成した配線孔１３に、接続配線２２を挿入し、半田２８で固定する。また樹脂構造体１１は、ネジ２３によって、金属板２１（更に、金属板２１を固定する機器の筐体やシャーシ。なお筐体やシャーシは図示していない）に物理的にしっかり固定している。
【００５６】
図９（Ｂ）に示すように、回路基板２４と、樹脂構造体１１の間に隙間を設けることで、接続配線２２部分等への半田２８の付着具合（半田流れ、半田量の評価も含む）を検査する。
【００５７】
図９（Ｂ）の矢印１７は、出来上がった回路モジュールに振動を与えた場合の、異形部品１５の動きを示す。図９（Ｂ）に示すように、異形部品１５（特に、５ｇ以上の重量部品等）に、矢印１７に示すような振動を加えた場合でも、この振動はネジ２３で固定した樹脂構造体１１を介して、金属板２１（更には金属板２１を固定する機器の筐体やシャーシ）に直接逃げるため、接続配線２２やリードフレーム１９、回路基板２４等には影響しない。
【００５８】
なお図９（Ｂ）において、回路基板２４を樹脂構造体１１に取り付ける際の金属板２１との位置規制を容易にするため、樹脂構造体１１の外周部、または中心部、またはその両方に突起を設け、その突起で回路基板２４を保持することが望ましい。さらには、その突起部をバネ性のある爪状の引っかけ構造とし、その引っかけ部で回路基板を機械的に固定することがより望ましい。
【００５９】
そうすることで回路モジュールの完成厚みを容易に制御できるし、回路モジュールに振動を与えられた場合の回路基板への影響を排除できる。
【００６０】
図１０（Ａ）（Ｂ）は、共に樹脂構造体１１をネジ２３で金属板２１等に固定する効果を説明する断面図である。図１０（Ａ）（Ｂ）では、説明のために、接続配線２２や回路基板２４等は図示していない。
【００６１】
図１０（Ａ）に示すように、異形部品１５の一部以上を固定した樹脂構造体１１を、金属板２１（更には金属板２１を固定する機器の筐体やシャーシ）に、直接固定する。
【００６２】
図１０（Ｂ）は、異形部品１５に振動をかけた場合に、樹脂構造体１１が脱離しないメカニズムを示す。図１０（Ｂ）に示すように、異形部品１５による引き剥がし力は、ネジ２３によって打ち消され、樹脂構造体１１は脱離しない。
【００６３】
更に金属板２１にばか孔等と呼ばれる、大きな取付け孔１２を形成しておくことで、樹脂構造体１１そのものを機器の筐体やシャーシに取り付ける。この結果、取付工数が削減でき、更に強力な固定が可能である。ここでばか孔とは、clearance  holeとも呼ばれる機械用語の一つであり、通しボルトは埋め込みボルトなどを挿入する孔も含む。
【００６４】
図１１（Ａ）（Ｂ）は、共に樹脂構造体１１を用いない場合について説明する断面図である。図１１（Ａ）において、異形部品１５は、取付け金具１６を用いて、放熱基板１８に直接取り付ける。この状態で矢印１７に示すような振動（あるいは外力）を加えると、図１１（Ｂ）に示すように、異形部品１５や取付け金具１６が放熱基板１８から脱離する。
【００６５】
特に、異形部品１５の質量が増加すると（特に５ｇ以上）、取付け金具１６を工夫しても脱離しやすい。これは取付け金具１６自体の質量も増加するためである。また取付け金具１６と共に、リードフレーム１９の一部も脱離した場合、回路動作自体に影響を与える。
【００６６】
図１２（Ａ）（Ｂ）は、共に異形部品１５を回路基板２４側に取り付けた場合に発生しうる課題を説明する断面図である。
【００６７】
図１２（Ａ）（Ｂ）に示すように、異形部品１５を、取付け金具１６等を用いて回路基板２４に固定しても、矢印１７で示すような力が発生した場合、リードフレーム１９毎、矢印１７に示すように外れる可能性がある。
【００６８】
一方、図９（Ｂ）や図１０（Ｂ）に示した場合は、異形部品１５のみならず、接続配線２２自身を高強度化する。
【００６９】
（実施の形態３）
実施の形態３では、樹脂構造体１１と放熱基板１８との間に、異形部品１５を挟む場合について説明する。異形部品１５を、樹脂構造体１１と放熱基板１８の間に挟むことで、異形部品１５に振動等による力が発生しても、リードフレーム１９や、リードフレーム１９に実装したパワー半導体等に影響を与えない。
【００７０】
次に図１３を用いて異形部品１５の取付け例について、チョークコイル等のコイルを例に説明する。図１３（Ａ）（Ｂ）は、それぞれコイル部品の断面図と、コイル部品を回路モジュールに実装した場合の拡大断面図である。図１３（Ａ）（Ｂ）において、２９はコイル部品、３０はコア部、３１はコイル部であり、コイル部品２９は、コア部３０とコイル部３１から構成されている。そしてコイル部品２９は半田２８を用いて、リードフレーム１９に固定する。
【００７１】
チョークコイルに発生した熱は、矢印１７に示すように、伝熱層２０やリードフレーム１９を介して放熱する。
【００７２】
図１３（Ａ）（Ｂ）に示すように、コア部３０とコイル部３１を別構造とすることで、コイル部品２９の全体質量を複数に分割でき、振動時の固有振動を抑えられ、耐震性を高められる。またコイル部品２９に発生した熱は、矢印１７のように、樹脂構造体１１やリードフレーム１９を介して別々に拡散できる。
【００７３】
なお樹脂構造体１１の固定方法は、ネジ２３に限定するものではなく、樹脂構造体１１の一部等に形成した構造体（例えば、爪構造やひっかけ構造、楔構造等）としても良いことは言うまでもない。
【００７４】
なお図１３において、リードフレーム１９に実装した発熱部品や、回路基板２４等は図示していない。
【００７５】
（実施の形態４）
実施の形態４では、回路モジュールに使用する放熱基板１８や樹脂構造体１１に用いる部材について説明する。
【００７６】
リードフレーム１９としては、銅やアルミニウムのような熱伝導性の高い部材を用いる。またリードフレーム１９の厚みは０．２ｍｍ以上（望ましくは０．３ｍｍ以上）を用いる。リードフレーム１９の厚みが０．２ｍｍ未満の場合、接続配線２２の強度が低下し、作業中に曲がる。
【００７７】
またリードフレーム１９の厚みは、１０．０ｍｍ以下（望ましくは５．０ｍｍ以下）が望ましい。リードフレーム１９の厚みが１０．０ｍｍを超えた場合、接続配線２２のファインパターン化に影響を与える。
【００７８】
次に伝熱樹脂２６について説明する。伝熱樹脂２６は、例えば、樹脂とフィラーとからなるものとすることで、その熱伝導性を高めることができる。そして樹脂として熱硬化性の樹脂を用いることで、その信頼性を高める。
【００７９】
ここで無機フィラーとしては、例えば略球形状で、その直径は０．１μｍ以上１００μｍ以下が適当である（０．１μｍ未満の場合、樹脂への分散が難しくなる。また１００μｍを超えると伝熱層２０の厚みが厚くなり熱拡散性に影響を与える）。そのためこれら伝熱層２０における無機フィラーの充填量は、熱伝導率を上げるために７０から９５重量％と高濃度に充填する。特に、本実施の形態では、無機フィラーは、平均粒径３μｍと平均粒径１２μｍの２種類のアルミナを混合したものを用いている。この大小２種類の粒径のアルミナを用いることによって、大きな粒径のアルミナの隙間に小さな粒径のアルミナを充填できるので、アルミナを９０重量％近くまで高濃度に充填する。この結果、これら伝熱層２０の熱伝導率は５Ｗ／（ｍ・Ｋ）程度となる。
【００８０】
なお無機フィラーとしてはアルミナ、酸化マグネシウム、窒化ホウ素、酸化ケイ素、炭化ケイ素、窒化ケイ素、及び窒化アルミニウム、酸化亜鉛、シリカ、酸化チタン、酸化錫、ジルコン珪酸塩からなる群から選択される少なくとも一種以上を含んでいるものとすることが、熱伝導性やコスト面から望ましい。
【００８１】
なお熱硬化性樹脂を使う場合は、エポキシ樹脂、フェノール樹脂、シアネート樹脂、ポリイミド樹脂、アラミド樹脂、ＰＥＥＫ樹脂の群から選ばれた少なくとも１種類の熱硬化性樹脂を含む。これはこれらの樹脂が耐熱性や電気絶縁性に優れている。
【００８２】
特に、伝熱層２０の放熱性を高めようとすると、無機フィラーの含有率を増加させることが必要となるが、この結果、伝熱層２０における熱硬化性樹脂の含有率を減らす可能性がある。そして伝熱層２０における熱硬化性樹脂の含有率を減らした場合、伝熱層２０と、リードフレーム１９との間の接着力が低下する可能性がある。そしてリードフレーム１９の一部である接続配線２２や、接続配線２２に接続した回路基板２４を、非常に強い力で繰り返し何度も引き剥がそうとした場合、放熱基板１８における伝熱層２０とリードフレーム１９の界面が剥離してしまう可能性も考えられる。
【００８３】
以上のようにして、金属板２１と、この上に形成したシート状の伝熱層２０と、この伝熱層２０に固定したリードフレーム１９と、このリードフレーム１９の一部を前記伝熱層２０から略垂直に折り曲げてなる接続配線２２と、この接続配線２２の一部以上を固定する樹脂構造体１１と、異形部品１５と、前記金属板２１と略並行に固定した回路基板２４と、から構成され、前記異形部品１５の一部以上は、前記樹脂構造体１１を用いて固定し、前記接続配線２２の一部以上は、前記樹脂構造体１１によって前記伝熱層２０に押付けられ、前記接続配線２２の一部以上は前記回路基板２４に接続している回路モジュールを提供することで、車載用等の過酷な環境にも耐える。
【００８４】
なお接続配線２２の根元の一部以上を、樹脂構造体１１によって伝熱層２０に固定する。接続配線２２の根元とは、接続配線２２の中央部から下半分と、略垂直の折り曲げ部と、折り曲げ部近くのリードフレーム１９とからなる。なお折り曲げ部から１０ｍｍ以内のリードフレーム１９も根元である。１０ｍｍを超えると、押付け効果が低下する場合がある。また接続配線２２の先端部（接続配線２２の中央部から上半分）を、尖らせることで、樹脂構造体１１の配線孔１３への挿入性を高める。
【００８５】
金属板２１と、この上に形成したシート状の伝熱層２０と、この伝熱層２０に固定したリードフレーム１９と、このリードフレーム１９の一部を前記伝熱層２０から略垂直に折り曲げてなる接続配線２２と、この接続配線２２の一部以上を固定する樹脂構造体１１と、異形部品１５と、前記金属板２１と略並行に固定した回路基板２４と、から構成され、前記異形部品１５の一部以上は、前記樹脂構造体１１を用いて固定し、前記接続配線２２の一部以上は、前記樹脂構造体１１によって前記伝熱層２０に押付けられ、前記接続配線２２の一部以上は前記回路基板２４に接続している回路モジュールとすることで、車載用等の過酷な環境に耐える。
【００８６】
金属板２１と、この上にシート状の伝熱層２０を用いて固定したリードフレーム１９と、このリードフレーム１９の一部以上を固定する樹脂構造体１１と、異形部品１５と、前記金属板２１と略並行に固定した回路基板２４と、から構成され、前記異形部品１５の一部以上を、前記樹脂構造体１１と前記伝熱層２０との間に固定し、前記接続配線２２の一部以上が、前記樹脂構造体１１によって前記伝熱層２０に押付けられ前記接続配線２２の一部以上は前記回路基板２４に接続している回路モジュールとすることで、車載用等の過酷な環境に耐える。
【００８７】
異形部品１５は、コイル、トランス、キャパシタ、リード付き部品のいずれか一つ以上とすることで、様々な異形部品１５を回路モジュールに実装する。
【００８８】
金属板２１上に、シート状の伝熱層２０を用いてリードフレーム１９を固定する工程と、前記リードフレーム１９の一部を、伝熱層２０から略垂直に折り曲げ接続配線２２とする工程と、異形部品１５の一部以上を、樹脂構造体１１に固定する工程と、前記樹脂構造体１１を用いて、前記リードフレーム１９の一部を前記伝熱層２０側に押付ける工程と、前記樹脂構造体１１を、前記金属板２１に固定する工程と、前記金属板２１と略並行になるように設置した回路基板２４に、前記接続配線２２を接続する工程と、を有する回路モジュールの製造方法によって、車載用等の過酷な環境に耐え得る回路モジュールを製造する。
【産業上の利用可能性】
【００８９】
以上のように、本発明にかかる回路モジュールとその製造方法を用いることで、実装性の低いあるいは重量の大きい部品に対しても、樹脂モジュールの中にしっかり固定でき、かつ放熱基板と回路基板を最短距離で接続でき、耐振性や耐ノイズ性に優れるため、各種機器の小型化と高強度化を実現できる。
【図面の簡単な説明】
【００９０】
【図１】回路モジュールの構成を説明する斜視図
【図２】（Ａ）（Ｂ）は、共に樹脂構造体を用いて、異形部品の一部以上を固定する様子を説明する斜視図
【図３】異形部品を取り付けた樹脂構造体を、ネジを用いて放熱基板に固定する様子を説明する斜視図
【図４】異形部品を取り付けた樹脂構造体を、放熱基板に装着した後、ネジによって固定する様子を説明する斜視図
【図５】（Ａ）（Ｂ）は、共に放熱基板の製造方法の一例を説明する断面図
【図６】（Ａ）（Ｂ）は、それぞれ放熱基板の断面と樹脂構造体への異形部品の取付けについて説明する断面図
【図７】回路モジュールを組み立てる様子を説明する断面図
【図８】放熱基板に樹脂構造体を、ネジで固定する様子を説明する断面図
【図９】（Ａ）（Ｂ）は、回路基板を固定する様子を示す断面図
【図１０】（Ａ）（Ｂ）は、共に樹脂構造体をネジで金属板等に固定する効果を説明する断面図
【図１１】（Ａ）（Ｂ）は、共に樹脂構造体を用いない場合について説明する断面図
【図１２】（Ａ）（Ｂ）は、共に異形部品を回路基板側に取り付けた場合に発生しうる課題を説明する断面図
【図１３】（Ａ）（Ｂ）は、それぞれコイル部品の断面図と、コイル部品を回路モジュールに実装した場合の拡大断面図
【図１４】異なる高さを有する異形部品を実装した従来の回路モジュールの一例を説明する断面図
【符号の説明】
【００９１】
１１  樹脂構造体
１２  取付け孔
１３  配線孔
１４  点線
１５  異形部品
１６  取付け金具
１７  矢印
１８  放熱基板
１９  リードフレーム
２０  伝熱層
２１  金属板
２２  接続配線
２３  ネジ
２４  回路基板
２５  電子部品
２６  伝熱樹脂
２７  開口部
２８  半田
２９  コイル部品
３０  コア部
３１  コイル部
【図１】
2009135372.tif 000003
【図２】
2009135372.tif 000004
【図３】
2009135372.tif 000005
【図４】
2009135372.tif 000006
【図５】
2009135372.tif 000007
【図６】
2009135372.tif 000008
【図７】
2009135372.tif 000009
【図８】
2009135372.tif 000010
【図９】
2009135372.tif 000011
【図１０】
2009135372.tif 000012
【図１１】
2009135372.tif 000013
【図１２】
2009135372.tif 000014
【図１３】
2009135372.tif 000015
【図１４】
2009135372.tif 000016